(57)【要約】【課題】現在置かれている水槽が、地震により破損や転倒により損害を被ることのないよう、また、工事を施すこと無く構造物に傷をつけることの無いよう現環境を生かすことを前提とし、地震エネルギーによる振動を減衰させ収束させる装置の提供を課題とする。【解決手段】ベースプレート（５）に、鉛直方向対策コイルばね（４）、水平方向対策コイルばね（３）、玉転がり支承（２）を内容とした、免震ユニット（１）を組み付ける。その後、水槽設置天板（６）を上部に配置し、天板と玉転がり支承（２）とを連結、固定する支承連結固定具（７）で固定し、本装置を組み立て、免震対象となる水槽（８）を設置する。【選択図】      図１０
2005230019.tif 000002
【特許請求の範囲】
【請求項１】
下面との滑りを利用し、その滑り機構である玉転がり支承を有し、ある加えられたエネルギーによって玉転がり支承自体の変化する位置の移動量をコイルばねで制御する、魚及び爬虫類等の生物飼育用の水槽を置く家具や水槽台、その他構造物の上に設置する生物飼育水槽用免震装置。
【請求項２】
下面との滑りを利用し、その滑り機構である玉転がり支承を有し、ある加えられたエネルギーによって玉転がり支承自体の変化する位置の移動量をダンパーや弾性機能を有す素材からなる物質、もしくは機構で制御する、魚及び爬虫類等の生物飼育用の水槽を置く家具や水槽台、その他構造物の上に設置する生物飼育水槽用免震装置。
【請求項３】
下面との滑りを利用し、摺動する滑り支承を有す、魚及び爬虫類等の生物飼育用の水槽を置く家具や水槽台、その他構造物の上に設置する生物飼育水槽用免震装置。
【請求項４】
下面との滑りを利用し、摺動する滑り支承を有し、ある加えられたエネルギーによって滑り支承自体の変化する位置の移動量を弾性機能を有す素材からなる物質、もしくは機構で制御する、魚及び爬虫類等の生物飼育用の水槽を置く家具や水槽台、その他構造物の上に設置する生物飼育水槽用免震装置。
【請求項５】
基礎となるベースプレートを設け、水槽を載せる天板をそのベースプレートの上に配置し、ベースプレートと天板との間に請求項１に記載の生物飼育水槽用免震装置。
【請求項６】
基礎となるベースプレートを設け、水槽を載せる天板をそのベースプレートの上に配置し、ベースプレートと天板との間に請求項２に記載の生物飼育水槽用免震装置。
【請求項７】
基礎となるベースプレートを設け、水槽を載せる天板をそのベースプレートの上に配置し、ベースプレートと天板との間に、非金属素材からなる弾性作用によって振動エネルギーの緩和、吸収を図り、さらに、それらの弾性作用によってさらにエネルギーが増幅しないよう、または、その素材のの変形状態の復元を目的、制御する、魚及び爬虫類等の生物飼育用の水槽を置く家具や水槽台、その他構造物の上に設置する生物飼育水槽用免震装置。
【請求項８】
基礎となるベースプレートを設け、水槽を載せる天板をそのベースプレートの上に配置し、ベースプレートと天板との間に請求項３に記載の生物飼育水槽用免震装置。
【請求項９】
基礎となるベースプレートを設け、水槽を載せる天板をそのベースプレートの上に配置し、ベースプレートと天板との間に請求項４に記載の生物飼育水槽用免震装置。
【発明の詳細な説明】
【技術分野】
【０００１】
本装置は、地震による振動から、魚及び爬虫類等生物飼育水槽を保護する免震装置に関するものである。
【背景技術】
【０００２】
非特許文献２においては、各個人所有の水槽サイズに応じて、免震装置を内蔵した水槽台を特別注文にてオーダー製作するものである。床とキャビネットが分離されており、内臓の免震装置で地震の揺れに対処する。仕上げの色調も選択できるため、個人の趣味も反映できる特色がある。ただ、価格も数十万円と高価格なため、即座に導入とは言い難いコスト的な問題があると思われる。
【０００３】
そして、一体型の水槽台であるため、床の上に設置を前提としている。あらたな、設置スペースを設ける必要があり、狭い環境では導入しづらい。さらに、家にある構造物の上（例えば下駄箱、リビングの据付家具等）、家具の上には設置しづらく、それらのスペースを活用できない。
【非特許文献１】免震水槽台  販売元  M'ｓ  ｓｙｓｔｍ製品紹介ＵＲＬアドレス  http://www5f.biglobe.ne.jp/~ms-sendai/A2_1.htm
【０００４】
非特許文献２において、ジャバラ状のエアーダンパーにより、地震の制震機能、免震機能により揺れを小さくし転倒を防ぐというもの。壁面に本装置を取り付け、対象物の保護を図る。
【０００５】
壁面に取り付ける為、壁紙や構造物に傷が付着しないか心配である。壁面を頼るため、近くに壁面が無い場合は取り付けができないといった不便が発生する恐れがある。また、見栄えの面で、本装置が露出する為せっかく美しく飾った水槽の美観を損ねる可能性もある。
【非特許文献２】転倒防止具  製品名  ナマンズ  販売元  有限会社  ルゥ・エンタープライズ製品紹介ＵＲＬアドレス    http://www5.ocn.ne.jp/~namanz8/
【発明の開示】
【発明が解決しようとする課題】
【０００６】
設置済みである水槽の設置場所に新たな工事を施すことなく、また、周辺の家具と色調を考え統一できる、かつ、大掛かりな構成を必要とせず地震がもたらすエネルギーからくる、揺れ振動を減衰、収束し、設置する水槽の保護を目的とする装置の提供を課題とする。
【課題を解決するための手段】
【０００７】
ベースプレート（５）に、水平方向対策コイルばね（３）と、鉛直方向対策コイルばね（４）、玉転がり支承（２）を組み合わせた免震ユニット（１）を組み付ける。
その上に、水槽設置天板（６）を配置する。この時、周辺の家具や部屋の模様、色合いに合わせ統一感を出したい、あるいは、個性を出したいといった場合に、天板の色や木目を多彩に揃える。
水槽設置天板（６）と玉転がり支承（２）とを連動させるため、支承連結固定具（７）で両者を固定する。
【発明の効果】
【０００８】
本装置の設置前は、当然地震からくる揺れを受け、その後、水面より波が発生し、やがて加速度を
増し波面が上昇し、水槽（８）から水がこぼれる状況となる。大きな地震発生時においては、水槽自体
が動き出し転倒、もしくは、ガラス水槽の場合、水槽本体に負荷がかかり、ガラスワレもしくはヒビが
入る破損といった可能性もあり得る。
【０００９】
本装置に載せた水槽（８）は、基礎となるベースプレート（５）が、免震ユニット（１）を挟んで水槽
設置天板（６）を構成している為、床面から直接エネルギーを受けることがない。まず、ベースプレー
ト（５）は地震エネルギーと同時に振動を始めるが、玉転がり支承（２）との摺動性により水槽（８）
を載せた水槽設置天板（６）天板は遅れて動き始める。
【００１０】
次段階における影響において、加速度を増し慣性を得た水槽設置天板（６）の運動は、コイルばねの持
つ特性の圧縮、引張りといった、たわみの変化を繰り返すことで弾性機能が働き、緩やかに吸収し減衰、
振動を収束する。後、コイルばねの復元力により定位置へ復帰する。
【００１１】
鉛直方向対策コイルばね（４）は、地震による縦揺れに対応し、定常時において免震ユニット（１）と水槽設置天板（６）との間には隙間となる空間が設けられている。これは、鉛直方向いわゆる縦方向の振動エネルギーを吸収し減衰させる為の鉛直方向対策コイルばね（４）が圧縮、引張りのたわみの繰り返しの動作によって行われるばね運動によって水槽設置天板（６）が上下運動できるよう、自由度を持たせる為に考慮したものである。
【００１２】
その他、個々の設置環境において、必ずしも良好な条件とは限らない。水槽（８）を置く適した場所の条件として、設置面が水平の状態に保たれていることが重要である。不均衡であれば、偏った水の重みで局所的に負荷がかかり、その圧力で水槽破損の危険があることが想定される。これを解消するべく鉛直方向対策コイルばね（４）を利用し、部分的に強く加わっていた荷重の分散を図る。水槽破損の解消だけでなく、見た目にも傾いた水槽は格好が悪く、水平にすることで見栄えの改善にも貢献する。
【発明を実施するための最良の形態】
【００１３】
本装置は、ベースプレート（５）と転がり支承（２）との摺動性、ばねの特性により、地震による振
動エネルギーを吸収するが、滑らかに滑動、安定した動作をするよう、エネルギー方向に抵抗せず無理
なく減衰、収束させることが重要である。
【００１４】
転がり支承（２）とベースプレート（５）との摺動面における摩擦抵抗を考え、出来るだけその抵抗を
小さくし、滑らかな滑動を実現することである。
【００１５】
また、設置する免震対象の水槽のサイズ、水の容量により全体の質量が変化してくるため、同じばね定数で異なる水槽サイズに適用することは最適ではない。軽い質量に適するばね定数を、重い質量の水槽の免震に用いてしまえば、振動エネルギーによって加速度を増した後、その制動を抑えることが難しくなるどころかさらに増幅されてしまい、装置の役割を果たせなくなる。反対に、軽い質量の水槽に、重い質量の水槽に適するばね定数を用いれば、重い質量でたわむはずのばねが十分に変化せず、大きなエネルギーのまま、振動エネルギーを受けやすくなってしまう。それぞれの質量に最適なばね定数を用いることで、安定した装置の動作を確保することでもあり、十分な効果が得られ、本装置の免震作用の恩恵を受けることができる。
【００１６】
発生する地震によるエネルギー方向は毎回同一とは限らず、予測できないため、あらゆる方向に対しエ
ネルギー吸収の構造を用いる。例えば、ばねを東西南北4つの位置に配置しただけでは、斜めから加わ
る揺れ、つまり北東や南西などに対しては、ばね自体が無い為、ばねの機能を得られない。結果、吸収
できにくくなってしまい、天板の動きが不安定になってしまう恐れがある。
【実施例１】
【００１７】
図３は、地震がまだ起きていない、振動エネルギーが加わっていない本装置内部の断面図である。こ
のとき装置は定常であり、ばねは適度に引張られ、定位置を維持している。
【実施例２】
【００１８】
図４は、実際地震が発生し、振動エネルギーによって水槽設置天板（６）が水平方向に動いている模様
を表した本装置内部断面図である。右に動くと、玉転がり支承（２）は連ねて摺動するが、振動エネル
ギーとは反対方向の水平方向対策コイルばね（３）が引っ張られ、たわむ。やがて、ばねの特性である
復元力が働き、圧縮の方向へ変化する。これを、繰り返した後、エネルギーは吸収され、振動は収束
される。
【実施例３】
【００１９】
図５は、振動エネルギーが下方向に向かい、水槽設置天板（６）が下向きに押される模様を表した本装
置の内部断面図である。水槽設置天板（６）と玉転がり支承（２）との間には、上下の振動に対しての
振動吸収の効果を得る為、コイルばねが十分なたわみを実現できるように空間を持たせてある。上から
力が加わると、鉛直方向対策コイルばね（４）は圧縮され、水槽設置天板（６）も沈み込む。ばねの弾
性作用により、ショックを緩和し吸収される。
【実施例４】
【００２０】
図８は、免震ユニット（１）において、水平方向対策コイルばね（３）が矢印方向の振動エネルギーに
よって玉転がり支承（２）を動かし、連結するコイルばねのたわんだ様子を表したものである。
【実施例５】
【００２１】
図９は、図８と同じく、免震ユニット（１）において、水平方向対策コイルばね（３）が矢印方向の振
動エネルギーによって、玉転がり支承（２）を動かし、連結するコイルばねのたわんだ様子を表したも
のである。
【実施例６】
【００２２】
図１０は、本装置を水槽キャビネット（９）に載せ、その上に水槽（８）を置いた実施例である。
【図面の簡単な説明】
【００２３】
【図１】本装置実分解図
【図２】本装置透過図
【図３】本装置定常時内部断面図
【図４】本装置振動付与時内部断面図
【図５】本装置振動付与時内部断面図
【図６】免震ユニット斜視図
【図７】免震ユニット定常時平面図
【図８】免震ユニット振動付与時平面図
【図９】免震ユニット振動付与時平面図
【図１０】本装置実施例
【符号の説明】
【００２４】
１  免震ユニット
２  玉転がり支承
３  水平方向対策コイルばね
４  鉛直方向対策コイルばね
５  ベースプレート
６  水槽設置天板
７支承連結固定具
８水槽
９水槽キャビネット
【図１】
2005230019.tif 000003
【図２】
2005230019.tif 000004
【図３】
2005230019.tif 000005
【図４】
2005230019.tif 000006
【図５】
2005230019.tif 000007
【図６】
2005230019.tif 000008
【図７】
2005230019.tif 000009
【図８】
2005230019.tif 000010
【図９】
2005230019.tif 000011
【図１０】
2005230019.tif 000012